(57)【要約】      （修正有）【課題】家具用ヒンジの弾性部材が嵌合キットによりカムと接触する、取り付けの堅固性を確保するヒンジ装置を提供する。【解決手段】ヒンジ装置２０は、対応部材、連接アーム２４、カム２６、弾性部材２８、及び嵌合キット３０を備える。連接アーム２４は対応部材に枢接されている。カム２６は連接アーム２４に位置する。弾性部材２８は対応部材に取り付けられている。弾性部材２８は端部を有し、端部は非円形の断面を有する。嵌合キット３０は弾性部材２８に接続し、且つカム２６に接触する。嵌合キット３０は孔を有する。孔には弾性部材２８の端部が取り付けられている。【選択図】図１
0003198210.tif 000002
【実用新案登録請求の範囲】
【請求項１】
対応部材、連接アーム、カム、弾性部材、及び嵌合キットを備えるヒンジ装置であって、
前記連接アームは前記対応部材に枢接されており、
前記カムは前記連接アームに位置し、
前記弾性部材は、前記対応部材に取り付けられており、一方の端部を有し、前記一方の端部は、非円形の断面を有し、
前記嵌合キットは、前記弾性部材に接続されており、且つ前記カムに接触し、孔を有し、前記孔に前記弾性部材の前記一方の端部が取り付けられていることを特徴とするヒンジ装置。
【請求項２】
前記連接アームに連接されている別の対応部材をさらに有することを特徴とする請求項１に記載のヒンジ装置。
【請求項３】
前記弾性部材は、他方の端部とワインディング部をさらに有し、
前記ワインディング部は、前記一方の端部と前記他方の端部との間を連接することを特徴とする請求項１に記載のヒンジ装置。
【請求項４】
前記弾性部材は、前記ワインディング部に取り付け孔が形成されており、
前記取り付け孔を通過し、前記弾性部材を前記対応部材に取り付ける連接部材をさらに備えることを特徴とする請求項３に記載のヒンジ装置。
【請求項５】
前記弾性部材の前記他方の端部は、前記対応部材に押圧することを特徴とする請求項３に記載のヒンジ装置。
【請求項６】
前記弾性部材は、前記一方の端部を除いた部分の断面形状が非円形であることを特徴とする請求項１に記載のヒンジ装置。
【請求項７】
前記嵌合キットの前記孔は、非円形の孔であることを特徴とする請求項１に記載のヒンジ装置。
【請求項８】
前記嵌合キットの前記孔は、第一部と第二部を有し、前記第一部の孔径が前記第二部の孔径より大きくなるよう形成されていることを特徴とする請求項１に記載のヒンジ装置。
【請求項９】
前記嵌合キットの前記孔は、前記第二部の開口の幅が前記弾性部材の前記一方の端部の幅より小さくなるよう形成されていることを特徴とする請求項８に記載のヒンジ装置。
【請求項１０】
対応部材、連接アーム、弾性部材、及び嵌合キットを備えるヒンジ装置であって、
前記連接アームは前記対応部材に枢接されており、
前記弾性部材は、前記対応部材に取り付けられており、一方の端部を有し、前記一方の端部が非円形の断面を有し、
前記嵌合キットは、前記弾性部材に接続されており、且つ前記連接アームに接触し、孔を有し、前記孔に前記弾性部材の前記一方の端部が取り付けられており、
前記対応部材は、前記弾性部材が生じる弾力により、前記連接アームに相対して回転し、一定の力を有することを特徴とするヒンジ装置。
【請求項１１】
家具への取り付けに適用可能であり、第一対応部材、第二対応部材、連接アーム、カム、弾性部材、および嵌合キットを備えるヒンジ装置であって、
前記家具は、第一家具部材と第二家具部材を有し、
前記第一対応部材は、前記第一家具部材に取り付けられており、
前記第二対応部材は、前記第二家具部材に取り付けられており、
前記連接アームは、前記第一対応部材および前記第二対応部材に枢接されており、
前記カムは、前記連接アームに位置し、
前記弾性部材は、前記第一対応部材および前記第二対応部材のうちの何れかに取り付けられており、一方の端部を有し、前記一方の端部が非円形の断面を有し、
前記嵌合キットは、前記弾性部材に接続されており、且つ前記カムに接触し、孔を有し、前記孔に前記弾性部材の前記一方の端部が取り付けられていることを特徴とするヒンジ装置。
【請求項１２】
前記弾性部材は、他方の端部とワインディング部をさらに有し、
前記ワインディング部は、前記一方の端部と前記他方の端部との間を連接することを特徴とする請求項１１に記載のヒンジ装置。
【請求項１３】
前記弾性部材は、前記ワインディング部に取り付け孔が形成されており、
前記取り付け孔を通過し、前記弾性部材を前記第一対応部材および前記第二対応部材の内の何れかに取り付けられている連接部材をさらに備えることを特徴とする請求項１２に記載のヒンジ装置。
【請求項１４】
前記弾性部材は、前記一方の端部を除いた部分の断面形状が非円形であることを特徴とする請求項１１に記載のヒンジ装置。
【請求項１５】
前記嵌合キットの前記孔は、非円形の孔であることを特徴とする請求項１１に記載のヒンジ装置。
【請求項１６】
前記嵌合キットの前記孔は、第一部と第二部を有し、前記第一部の孔径が前記第二部の孔径より大きくなるよう形成されていることを特徴とする請求項１１に記載のヒンジ装置。
【請求項１７】
前記嵌合キットの前記孔は、前記第二部の開口の幅が前記弾性部材の前記一方の端部の幅より小さくなるよう形成されていることを特徴とする請求項１６に記載のヒンジ装置。
【考案の詳細な説明】
【技術分野】
【０００１】
本考案はヒンジ装置に関し、特に、家具用ヒンジ装置の弾性部材が嵌合キットによりカムと接触するヒンジ装置に関する。
【背景技術】
【０００２】
一般に、家具（ドアや食器棚等）には通常ヒンジが取り付けられる。
ヒンジにより、家具の可動部材は、本体に対して開閉を行うことができる。
【０００３】
特許文献１は、家具用ヒンジを開示する。
同明細書の背景技術では、家具用ヒンジは通常、バネにより閉鎖力及び／或いは開放力を生じると記載されている。
しかし、家具用ヒンジは、一定時間の使用により、損壊（ｂｒｅａｋ）するという問題がある。
【０００４】
特許文献１では、スライド部材（ｓｌｉｄｉｎｇ  ｅｌｅｍｅｎｔｓ）により、前記問題を解決する。
具体的には、特許文献１の実施形態と図１、図２、図３ａ、図３ｂ、及び図６に示すように、家具用ヒンジ１００は、相対して開閉する対応部材１０１とヒンジカップ１０２を有する。
家具用ヒンジ１００のバネ２の端部には、スライド部材１を取り付ける。
バネ２の端部は、スライド部材１により可動するようにカム３に接触する。
これにより、ヒンジカップ１０２の対応部材１０１に対する開閉に対応する。
上記した配置に基づき、バネ２の端部は、スライド部材１によりカム３に接触し、バネ２の端部は損壊しにくくなる。
【０００５】
上記に開示するバネ２、１２の端部は、円形の断面を呈し、スライド部材１、１１は、円柱孔を有し、円形の断面に対応して、バネ２、１２の端部を取り付ける。
スライド部材１は、付加装置４、１４により、バネ２、１２のコイル（ｃｏｉｌｓ）中に係合され、こうしてスライド部材１、１１はバネ２、１２に対して、一位置を保持することができる。
【０００６】
しかし、上記により明らかなように、同設計では、付加装置４、１４に欠陥があれば、スライド部材１、１１はバネ２、１２から脱落してしまう。
さらに、スライド部材とバネとの間は、円対円の取り付け方式を採用するが、サポート点は、スライド部材の付加装置がバネのコイルに係合することに頼っている。
そのため、サポート点の取り付け公差のカムとスライド部材との間の接触角度に対する対応が不適当であれば、ヒンジの使用品質に影響を及ぼす。
【先行技術文献】
【特許文献】
【０００７】
【特許文献１】米国特許第ＵＳ８６８９４０２Ｂ２号明細書
【考案の概要】
【考案が解決しようとする課題】
【０００８】
前記先行技術の説明で分かるとおり、スライド部材の取り付け定位方式はヒンジの使用品質に影響を及ぼし、ヒンジ装置の各部材間の組み立てニーズの違いに従い、スライド部材とバネとの連接方式も合わせて考慮しなければ、実際のニーズに応えることができない欠点がある。
【０００９】
本考案は、上記問題に鑑みてなされたものであり、その目的は、嵌合キットと弾性部材との取り付けの堅固性を確保可能な家具用ヒンジであるヒンジ装置を提供することにある。
【課題を解決するための手段】
【００１０】
本考案によるヒンジ装置は、対応部材、連接アーム、カム、弾性部材、及び嵌合キットを備える。
連接アームは、対応部材に枢接されている。
カムは、連接アームに位置する。
弾性部材は、対応部材に取り付けられている。
弾性部材は、一方の端部を有し、一方の端部は非円形の断面を有する。
嵌合キットは、弾性部材に接続されており、且つカムに接触する。嵌合キットは、孔を有する。
孔には、弾性部材の一方の端部が取り付けられている。
【００１１】
本考案によるもう一つのヒンジ装置は、対応部材、連接アーム、弾性部材、及び嵌合キットを備える。
連接アームは、対応部材に枢接されている。
弾性部材は、対応部材に取り付けられている。
弾性部材は、一方の端部を有し、一方の端部は非円形の断面を有する。
嵌合キットは、弾性部材に接続されており、且つ連接アームに接触し、嵌合キットは、孔を有し、孔には、弾性部材の一方の端部が取り付けられている。
弾性部材が生じる弾力に反応し、対応部材は、連接アームに相対し回転し、一定の力を有する。
【００１２】
本考案によるもう一つのヒンジ装置は、家具への取り付けに適用する。
家具は、第一家具部材と第二家具部材を有する。
ヒンジ装置は、第一対応部材、第二対応部材、連接アーム、カム、弾性部材、及び嵌合キットを備える。
第一対応部材は、第一家具部材に取り付けられている。
第二対応部材は、第二家具部材に取り付けられている。
連接アームは、第一対応部材と第二対応部材に枢接されている。
カムは、連接アームに位置する。
弾性部材は、第一対応部材と第二対応部材の内の何れかに取り付けられており、弾性部材は、一方の端部を有し、一方の端部は非円形の断面を有する。
嵌合キットは弾性部材に接続されており、且つカムに接触する。
嵌合キットは、孔を有し、孔には、弾性部材の一方の端部が取り付けられている。
【００１３】
上記の内の一つの態様によれば、ヒンジ装置は、連接アームに連接する別の対応部材をさらに備える。
【００１４】
上記の内の一つの態様によれば、弾性部材は、他方の端部とワインディング部をさらに有し、ワインディング部は、一方の端部と他方の端部との間に連接されている。
弾性部材のワインディング部に、取り付け孔が形成されており、ヒンジ装置は、取り付け孔を通過し、弾性部材を対応部材に取り付ける連接部材をさらに有する。
弾性部材の他方の端部は、対応部材に押圧し、弾性部材の一方の端部の他の部分の断面形状は、非円形を含む。
【００１５】
上記の内の一つの態様によれば、嵌合キットの孔は、非円形孔である。
【００１６】
上記の内の一つの態様によれば、嵌合キットの孔は、第一部と第二部を有し、第一部の孔径は、第二部の孔径より大きく、且つ第二部の孔径の幅は、弾性部材の一方の端部の幅より小さい。
【００１７】
上記の内の一つの態様によれば、嵌合キットの孔の第一部の孔径と弾性部材の一方の端部の幅は、実質上相等である。
【００１８】
本考案の特徴の一つは、家具用ヒンジの弾性部材は、嵌合キットによりカムと接触し、且つ弾性部材の一方の端部が非円形の断面を有することにより、嵌合キットは弾性部材の一方の端部の周囲方向の位置に効果的に保持される。
【図面の簡単な説明】
【００１９】
【図１】本考案の一実施形態によるヒンジ装置を示す斜視図である。
【図２Ａ】本考案の一実施形態によるヒンジ装置を示す分解斜視図であり、２個の対応部材と連接アームとが、枢接部材により一体に連接される状態を示す。
【図２Ｂ】本考案の一実施形態によるヒンジ装置を示す分解斜視図であり、弾性部材に嵌合キットが接続し、且つ弾性部材が連接部材により対応部材に取り付けられる状態を示す。
【図３Ａ】本考案の一実施形態によるヒンジ装置の要部を示す模式図であり、弾性部材と嵌合キットの組合せ状態を示し、且つ弾性部材の一方の端部が非円形の断面を有する状態を示す。
【図３Ｂ】本考案の一実施形態によるヒンジ装置の要部を示す模式図であり、弾性部材と嵌合キットを示す分解斜視図である。
【図４Ａ】本考案の一実施形態によるヒンジ装置の要部を示す模式図であり、弾性部材が対応部材に取り付けられ、且つ弾性部材が嵌合キットによりカムに接触する状態を示す。
【図４Ｂ】本考案の一実施形態によるヒンジ装置を示す要部拡大図であり、嵌合キットが円弧面を有し、カムと接触する状態を示す。
【図５Ａ】本考案の他の実施形態によるヒンジ装置の要部を示す模式図であり、弾性部材の一方の端部の断面が矩形である。
【図５Ｂ】本考案の他の実施形態によるヒンジ装置の要部を示す模式図であり、弾性部材の一方の端部の断面が楕円形である。
【図６】本考案の一実施形態によるヒンジ装置を示す模式図であり、カムが嵌合キットの表面に接触する状態を示す。
【図７Ａ】本考案の他の実施形態によるヒンジ装置の要部を示す模式図であり、嵌合キットとカムとが相互に接触する。
【図７Ｂ】本考案の他の実施形態によるヒンジ装置の要部を示す模式図であり、嵌合キットとカムとが相互に接触する。
【図８Ａ】本考案の他の実施形態によるヒンジ装置の要部を示す模式図であり、嵌合キットとカムとが相互に接触する。
【図８Ｂ】本考案の他の実施形態によるヒンジ装置の要部を示す模式図であり、嵌合キットとカムとが相互に接触する。
【図９Ａ】本考案の他の実施形態によるヒンジ装置の要部を示す分解斜視図であり、弾性部材と嵌合キットを示す。
【図９Ｂ】本考案の他の実施形態によるヒンジ装置の要部を示す分解斜視図であり、弾性部材と嵌合キットを示す。
【図１０Ａ】本考案の他の実施形態によるヒンジ装置の要部を示す分解斜視図であり、弾性部材と嵌合キットを示す。
【図１０Ｂ】本考案の他の実施形態によるヒンジ装置の要部を示す分解斜視図であり、弾性部材と嵌合キットとの組合せを示す。
【図１１】本考案の一実施形態によるヒンジ装置を家具に適用する状態を示す模式図である。
【考案を実施するための形態】
【００２０】
（一実施形態）
図１に示すように、本考案の一実施形態によるヒンジ装置２０は、第一対応部材２２、第一対応部材２２と一体に枢接する連接アーム２４、連接アーム２４に位置するカム２６、第一対応部材２２に取り付けられる弾性部材２８、及び弾性部材２８の一部位に接続し、且つカム２６に接触する嵌合キット３０を有する。
ここでは、連接アーム２４に連接する第二対応部材３２をさらに有する。
また、この実施形態において、ヒンジ装置２０は、一対のカム２６、一対の弾性部材２８、及び一対の嵌合キット３０を有するが、実施上はこれに制限されない。
【００２１】
図２Ａに示すとおり、第一対応部材２２は、収容室３４を有する。
収容室３４は、多数の壁により形成される。
例えば、第一対応部材２２は、一対の側壁３６、一対の側壁３６との間に連接する底壁３８、一対の側壁３６の前端に連接する前壁４０、及び一対の側壁３６の後端に連接する後壁４２を有する。
各側壁３６は、枢接孔４４と連接孔４６を有する。
また、底壁３８は、一対の耳部４８を有する。
【００２２】
連接アーム２４は、第一対応部材２２と第二対応部材３２にそれぞれ連接する２個の端部を有する。
枢接部材５０を連接アーム２４及び枢接孔４４に通過させ、連接アーム２４と第一対応部材２２とを、一体に枢接する。
これにより、第一対応部材２２は、連接アーム２４（或いは第二対応部材３２）に対して回転することができる。
一対のカム２６は、連接アーム２４に連接され、或いは形成され、且つ連接アーム２４の両側に位置する。
【００２３】
図２Ｂに示すとおり、各弾性部材２８は、一方の端部５２を有する。
ここでは、弾性部材２８は、他方の端部５４とワインディング部５６をさらに有し、ワインディング部５６は、一方の端部５２と他方の端部５４との間にワインディングして連接する。
各弾性部材２８のワインディング部５６には、取り付け孔５８が形成されており、取り付け孔５８は、第一対応部材２２の連接孔４６に対応する。
連接部材６０が、取り付け孔５８と連接孔４６とを通過し、弾性部材２８を、第一対応部材２２の耳部４８に取り付ける。
これにより、弾性部材２８は、第一対応部材２２の収容室３４内に位置し、且つ弾性部材２８の他方の端部５４は、収容室３４内の底壁３８壁面などの第一対応部材２２の一部位を押圧することができる。
【００２４】
図３Ａと図３Ｂは、弾性部材２８と嵌合キット３０との配置関係を示す。
弾性部材２８の一方の端部５２は、非円形の断面を有する（ｎｏｎ−ｃｉｒｃｕｌａｒ  ｃｒｏｓｓ  ｓｅｃｔｉｏｎ）。
一方の端部５２の断面は、非真円形である。
ここでは、一方の端部５２は、Ｄ字型を例とする。
【００２５】
嵌合キット３０は、孔６２を有する。
弾性部材２８の一方の端部５２は、嵌合キット３０の孔６２を通過し取り付けられる。
例えば、孔６２は、非円形孔である。
嵌合キット３０は、耐磨耗プラスチック材料により製造し、弾性部材２８の一方の端部５２は非円形の断面を有する。
これにより、嵌合キット３０は、弾性部材２８の一方の端部５２の周囲方向の位置に対して、効果的に保持される。
【００２６】
製造時には、弾性部材２８全体は、非円形の断面に加工される。
よって、弾性部材２８の一方の端部５２の他の部分の断面形状も、非円形を有する。
弾性部材２８の一方の端部５２、他方の端部５４及びワインディング部５６はこれに基づき、非円形の断面を有する。
【００２７】
図４Ａと図４Ｂに示すとおり、弾性部材２８は、連接部材６０により、第一対応部材２２に取り付けられる。
弾性部材２８の端部５２は、嵌合キット３０により、カム２６に接触する。
また、嵌合キット３０は、円弧面６４を備え、カム２６と接触する。
【００２８】
図５Ａと図５Ｂに示すとおり、弾性部材２８の一方の端部２００、３００の断面形状は、矩形（図５Ａ）、或いは楕円形（図５Ｂ）である。
実施において、これら非円形の形状は、これに制限されない。
【００２９】
図６に示すとおり、ヒンジ装置２０のカム２６は、嵌合キット３０の一表面（前記の円弧面６４など）に接触し、表面に沿って、弾性部材２８の一方の端部５２の長い方向に対して移動する。
これにより、ヒンジ装置２０の第一対応部材２２と第二対応部材３２の相互間には、開放力或いは閉鎖力を生じる。
【００３０】
図７Ａと図７Ｂに示すとおり、嵌合キット４００は、円柱状の外形を呈し、且つ円弧面４０２を有し、カム２６と接触する。
或いは、カム５００は、円弧面５０２を有し、嵌合キット５０４と接触する。
【００３１】
図８Ａと図８Ｂに示すとおり、カム６００は、円弧面６０２を有し、一方、嵌合キット６０４は、弧状陥没面を有し、カム６００の円弧面６０２に対応する。
或いは、カム６００は、円弧面６０２を有し、嵌合キット６０６は、Ｖ字型に類似の面を有し、カム６００の円弧面６０２を接触させる。
【００３２】
図９Ａと図９Ｂに示すとおり、弾性部材７００のワインディング部７０２と他方の端部７０４の断面形状は、おおよそ円形である。
一方、弾性部材７００の一方の端部７０６の断面形状は、非円形の断面で、嵌合キット３０の孔に対応する。
孔は、Ｄ字型の孔（図９Ａ）或いは三角形（図９Ｂ）等形状などの非円形孔とでき、実施上はこれに制限されない。
【００３３】
図１０Ａに示すとおり、嵌合キット８００の孔８０２は、第一部８０４と第二部８０６を有する。
第一部８０４の孔径は、第二部８０６の孔径より大きく、且つ第二部８０６の孔径の幅Ｗ１は、弾性部材８０８の一方の端部８１０の幅Ｗ２より小さい。
【００３４】
図１０Ｂに示すとおり、弾性部材８０８の一方の端部８１０が、嵌合キット８００の第一部８０４より、隣り合う第二部８０６に入る時、弾性部材８０８の一方の端部８１０は、周囲方向において、孔８０２に隣り合う第二部８０６に緊密に係止される。
これにより、弾性部材８０８の一方の端部８１０を、嵌合キット８００の孔８０２内に取り付ける堅固度を向上させることができる。
【００３５】
図１１に示す本考案の一実施形態によるヒンジ装置２０は、家具９００への取り付けに適用する。
家具９００は、第一家具部材９０２と第二家具部材９０４を有する。
第一家具部材９０２は、第二家具部材９０４に対して開閉する。
ヒンジ装置２０の第一対応部材２２は、第一家具部材９０２に取り付けられる。
一方、第二対応部材３２は、第二家具部材９０４に取り付けられる。
第一対応部材２２は、連接アーム２４に枢接されるため、第一家具部材９０２は、第一対応部材２２により、連接アーム２４（或いは第二対応部材３２）に対して開放状態を呈する。
【００３６】
或いは、第一対応部材２２が外力を受け、連接アーム２４（或いは第二対応部材３２）に対して回転し閉方向Ｄへと閉まる過程において、弾性部材２８は閉鎖の弾力を提供する。
且つ嵌合キット３０は、可動するように、カム２６に接触する。
すなわち、弾性部材２８が生じる弾力に反応し、第一対応部材２２は、連接アーム２４に対して回転し、力を備える。
【００３７】
前述した本考案の実施形態は本考案を限定するものではなく、よって、本考案により保護される範囲は実用新案登録請求の範囲を基準とする。
【符号の説明】
【００３８】
２０  ヒンジ装置、
２２  第一対応部材、
２４  連接アーム、
２６、５００、６００  カム、
２８、７００、８０８  弾性部材、
３０、４００、５０４、６０４、６０６、８００  嵌合キット、
３２  第二対応部材、
３４  収容室、
３６  側壁、
３８  底壁、
４０  前壁、
４２  後壁、
４４  枢接孔、
４６  連接孔、
４８  耳部、
５０  枢接部材、
５２、２００、３００、７０６、８１０  一方の端部、
５４、７０４  他方の端部、
５６、７０２  ワインディング部、
５８  取り付け孔、
６０  連接部材、
６２、８０２  孔、
８０４  第一部、
８０６  第二部、
６４、４０２、５０２、６０２  円弧面、
９００  家具、
９０２  第一家具部材、
９０４  第二家具部材、
Ｗ１、Ｗ２  幅、
Ｄ  閉方向。
【図１】
0003198210.tif 000003
【図２Ａ】
0003198210.tif 000004
【図２Ｂ】
0003198210.tif 000005
【図３Ａ】
0003198210.tif 000006
【図３Ｂ】
0003198210.tif 000007
【図４Ａ】
0003198210.tif 000008
【図４Ｂ】
0003198210.tif 000009
【図５Ａ】
0003198210.tif 000010
【図５Ｂ】
0003198210.tif 000011
【図６】
0003198210.tif 000012
【図７Ａ】
0003198210.tif 000013
【図７Ｂ】
0003198210.tif 000014
【図８Ａ】
0003198210.tif 000015
【図８Ｂ】
0003198210.tif 000016
【図９Ａ】
0003198210.tif 000017
【図９Ｂ】
0003198210.tif 000018
【図１０Ａ】
0003198210.tif 000019
【図１０Ｂ】
0003198210.tif 000020
【図１１】
0003198210.tif 000021